(57)【要約】【課題】被記録媒体Ｐを外周面３で支持して搬送する搬送ドラム２と該被記録媒体Ｐに記録されたインクを乾燥する乾燥部６を備える記録装置１において、搬送ドラム２の内部３７を有効的に使用する。【解決手段】被記録媒体Ｐを外周面３で支持して搬送する搬送ドラム２と、外周面３に対向可能な位置に設けられ、被記録媒体Ｐにインクを吐出する記録ヘッド４と、搬送ドラム２の内部３７に設けられ、前記インクを乾燥する乾燥部６と、を備えることを特徴とする記録装置１。【選択図】図１
2015098144.tif 000002
【特許請求の範囲】
【請求項１】
被記録媒体を外周面で支持して搬送する搬送ドラムと、
前記外周面に対向可能な位置に設けられ、前記被記録媒体にインクを吐出する記録ヘッドと、
前記搬送ドラムの内部に設けられ、前記インクを乾燥する乾燥部と、
を備えることを特徴とする記録装置。
【請求項２】
請求項１に記載の記録装置において、
前記被記録媒体は、ロール状に巻き取り可能な被記録媒体であって、
前記搬送ドラムは、
前記内部に、前記被記録媒体をセットするセット部と、前記被記録媒体を巻き取る巻取部と、を備え、
前記外周面に、前記セット部にセットされた前記被記録媒体を前記外周面に排出する排出部と、前記排出部から排出され前記外周面を搬送された前記被記録媒体を挿入する挿入部と、を備えることを特徴とする記録装置。
【請求項３】
請求項１又は２に記載の記録装置において、
前記搬送ドラムの少なくとも一方の底面の少なくとも一部は外部に開放されていることを特徴とする記録装置。
【請求項４】
請求項１から３のいずれか１項に記載の記録装置において、
前記外周面における前記排出部と前記挿入部との間の前記記録ヘッドと対向可能な位置に前記記録ヘッドのメンテナンス部を備えることを特徴とする記録装置。
【請求項５】
請求項１から４のいずれか１項に記載の記録装置において、
前記搬送ドラムとは別体として設けられ、前記内部に配置される部材を保持して前記搬送ドラムと共に回転する基体部を備えることを特徴とする記録装置。
【請求項６】
請求項１から５のいずれか１項に記載の記録装置において、
前記搬送ドラムの回転軸は鉛直方向であることを特徴とする記録装置。
【請求項７】
請求項１から６のいずれか１項に記載の記録装置において、
前記被記録媒体と前記外周面との摩擦係数は、前記被記録媒体と前記排出部との摩擦係数及び前記被記録媒体と前記挿入部との摩擦係数よりも小さいことを特徴とする記録装置。
【発明の詳細な説明】
【技術分野】
【０００１】
本発明は、ロール状の被記録媒体を外周面で支持して搬送する搬送ドラムを備える記録装置に関する。
【背景技術】
【０００２】
従来から、被記録媒体を外周面で支持して搬送する搬送ドラムを乾燥する乾燥部を備える記録装置が使用されている。このうち、例えば、特許文献１から３で開示される記録装置のように、ロール状の被記録媒体を外周面で支持して搬送する搬送ドラムを備える記録装置が使用されている。  
一方、近年の記録装置は記録速度が速くなってきており、記録ヘッドから被記録媒体に吐出されたインクの乾燥を促進するために乾燥部を備える記録装置が使用されている。
【先行技術文献】
【特許文献】
【０００３】
【特許文献１】特開平１０−８６４７２号公報
【特許文献２】特開２００３−９４６１５号公報
【特許文献３】特開２００９−２２７４６６号公報
【発明の概要】
【発明が解決しようとする課題】
【０００４】
被記録媒体を外周面で支持して搬送する搬送ドラムを備える記録装置は大型化しやすい。このため、このような記録装置を小型化するためには、例えば、搬送ドラムの内部を有効的に使用することが考えられる。  
しかしながら、特許文献１で開示されるような、従来の、被記録媒体を外周面で支持して搬送する搬送ドラムを備える記録装置においては、搬送ドラムの内部を有効的に使用しているとは言えなかった。  
また、特許文献２及び３には、被記録媒体に記録されたインクを乾燥する乾燥部に関する記載はなく、記録装置において、搬送ドラムの内部に乾燥部を配置して空間を有効的に使用することに関する記載及び示唆はない。
【０００５】
そこで、本発明の目的は、被記録媒体を外周面で支持して搬送する搬送ドラムと該被記録媒体に記録されたインクを乾燥する乾燥部を備える記録装置において、搬送ドラムの内部を有効的に使用することである。
【課題を解決するための手段】
【０００６】
上記課題を解決するための本発明の記録装置は、被記録媒体を外周面で支持して搬送する搬送ドラムと、前記外周面に対向可能な位置に設けられ、前記被記録媒体にインクを吐出する記録ヘッドと、前記搬送ドラムの内部に設けられ、前記インクを乾燥する乾燥部と、を備えることを特徴とする。
【０００７】
本態様によれば、搬送ドラムの内部に乾燥部を備える。このため、搬送ドラム内部の空間を有効的に使用することができる。  
さらに、記録ヘッドが搬送ドラムの外部（外周面に対向する位置）に設けられる一方、搬送ドラムの内部にインクを乾燥する乾燥部を備えるので、記録ヘッドがある記録空間と乾燥部がある乾燥空間を分け易く、記録ヘッドに対する乾燥部の影響を抑制して被記録媒体への記録ができる。
【０００８】
本発明の記録装置は、前記の態様において、前記被記録媒体は、ロール状に巻き取り可能な被記録媒体であって、前記搬送ドラムは、前記内部に、前記被記録媒体をセットするセット部と、前記被記録媒体を巻き取る巻取部と、を備え、前記外周面に、前記セット部にセットされた前記被記録媒体を前記外周面に排出する排出部と、前記排出部から排出され前記外周面を搬送された前記被記録媒体を挿入する挿入部と、を備えることを特徴とする。
【０００９】
記録画像の画質を向上させるため、所謂マルチパス記録と呼ばれる、記録画像を複数回に分けて記録することが一般的に行われている。また、ロール状の被記録媒体を外周面で支持して搬送する搬送ドラムを備える記録装置において、記録画像を複数回に分けて記録するためには、搬送ドラムを複数回回転させて複数回に分けて記録することが効率的である。しかしながら、従来の、ロール状の被記録媒体を外周面で支持して搬送する搬送ドラムを備える記録装置は、搬送ドラムを複数回回転させて複数回に分けて記録することが可能な構成ではなかった。  
本態様によれば、搬送ドラムは、内部にセット部と巻取部とを備え、外周面に被記録媒体の排出部と被記録媒体の挿入部と、を備える。このため、搬送ドラムは、排出部から排出され外周面を搬送された被記録媒体をそのまま支持した状態（被記録媒体が外周面を引き回された状態）で、複数回回転することができる。すなわち、搬送ドラムを複数回回転させて複数回に分けて記録することができる。
【００１０】
本発明の記録装置は、前記の態様において、前記搬送ドラムの少なくとも一方の底面の少なくとも一部は外部に開放されていることを特徴とする。
【００１１】
本態様によれば、搬送ドラムの少なくとも一方の底面の少なくとも一部は外部に開放されている。このため、乾燥部での乾燥で発生したインクに含まれる成分の蒸気を効率的に外部に逃がすことができ、インクの乾燥効率を向上することが可能になる。
【００１２】
本発明の記録装置は、前記の態様において、前記外周面における前記排出部と前記挿入部との間の前記記録ヘッドと対向可能な位置に前記記録ヘッドのメンテナンス部を備えることを特徴とする。
【００１３】
ここで、「前記記録ヘッドのメンテナンス部」とは、記録ヘッドの性能を維持する目的のものであれば特に限定はされず、例えば、フラッシングボックス、ワイピング部材及び吸引部材等が挙げられる。  
本態様によれば、外周面に設けられた排出部と挿入部との間の位置にを備える。このため、記録中などの被記録媒体が外周面を引き回された状態（支持された状態）であっても、記録ヘッドとメンテナンス部を対向させることが可能であり、記録ヘッドのメンテナンスを行うことが可能になる。
【００１４】
本発明の記録装置は、前記の態様において、前記搬送ドラムとは別体として設けられ、前記内部に配置される部材を保持して前記搬送ドラムと共に回転する基体部を備えることを特徴とする。
【００１５】
被記録媒体を支持する支持面である搬送ドラムの外周面は、搬送ドラムの回転に伴う振動の影響等をなるべく受けないことが好ましい。本態様によれば、基体部は、搬送ドラムとは別体として設けられ、搬送ドラムと共に回転する。このため、搬送ドラムは、内部に配置される部材を基体部に保持させることで軽量化することが可能である。また、内部に配置される部材からの振動等が、直接、搬送ドラムに伝わることが軽減でき、内部の部材の配置が回転軸に対して対称ではないことによる回転に伴う振れや振動の影響等を外周面に支持される被記録媒体に与えるのを抑制できる。すなわち、搬送ドラムの回転に伴う振動の影響等を抑制しつつ、搬送ドラムを複数回回転させて、外周面に支持される被記録媒体に対して複数回に分けて記録を行うことも可能である。
【００１６】
本発明の記録装置は、前記の態様において、前記搬送ドラムの回転軸は鉛直方向であることを特徴とする。
【００１７】
ここで、「鉛直方向」とは、厳密な意味での鉛直方向に限定されず、鉛直方向から多少ずれた方向も含む意味である。  
本態様によれば、搬送ドラムの回転軸が鉛直方向の構成の記録装置において、搬送ドラムの内部を有効的に使用することができるとともに、記録ヘッドに対する乾燥部の影響を抑制しつつ前記インクを乾燥することが可能になる。
【００１８】
本発明の記録装置は、前記の態様において、前記被記録媒体と前記外周面との摩擦係数は、前記被記録媒体と前記排出部との摩擦係数及び前記被記録媒体と前記挿入部との摩擦係数よりも小さいことを特徴とする。
【００１９】
ここで、「前記被記録媒体と前記外周面との摩擦係数は、前記被記録媒体と前記排出部との摩擦係数及び前記被記録媒体と前記挿入部との摩擦係数よりも小さい」とは、外周面が排出部及び挿入部よりも被記録媒体との摩擦係数が小さくなる材料を用いて構成される場合に限定されない。例えば、排出部及び挿入部に被記録媒体をニップする機構等を設けることにより、外周面がよりも被記録媒体との摩擦係数が小さくなる構成も含む。  
本態様によれば、被記録媒体と外周面との摩擦係数は、被記録媒体と排出部との摩擦係数及び被記録媒体と挿入部との摩擦係数よりも小さい。このため、被記録媒体と外周面との摩擦係数が小さいことにより、被記録媒体を外周面に引き回す際の被記録媒体の搬送が容易になる。そして、被記録媒体と排出部との摩擦係数及び被記録媒体と挿入部との摩擦係数が大きいことにより、外周面に被記録媒体を引き回し易くし、排出部及び挿入部では被記録媒体をズレ難くすることができる。
【図面の簡単な説明】
【００２０】
【図１】本発明の実施例１に係る記録装置を表す概略平面断面図。
【図２】本発明の実施例１に係る記録装置を表す概略側面断面図。
【図３】本発明の実施例１に係る記録装置における搬送ドラムの概略斜視図。
【図４】本発明の実施例２に係る記録装置における搬送ドラムの概略平面図。
【発明を実施するための形態】
【００２１】
［実施例１］（図１〜図３）  
以下に、本発明の実施例１に係る記録装置１について、添付図面を参照して詳細に説明する。  
図１は、本発明の実施例１に係る記録装置１を表す概略平面断面図である。また、図２は、本発明の実施例１に係る記録装置１を表す概略側面断面図である。  
なお、図２は図１のＡからＡで表される破線部分の断面図であり、図１は図２のＢからＢで表される破線部分の断面図である。また、図２においては、記録装置１の説明をわかりやすくするため、被記録媒体Ｐ及び搬送ドラム２の内部３７の構成部材は省略されている。
【００２２】
本実施例の記録装置１は、被記録媒体Ｐを外周面３で支持して搬送する搬送ドラム２を備える。また、外周面３に対向可能な位置に、被記録媒体Ｐにインクを吐出する記録ヘッド４（４ａから４ｆ）を有するヘッドユニット５を備える。また、搬送ドラム２の内部３７に、記録ヘッド４により被記録媒体Ｐに吐出されたインクを乾燥する乾燥部としてのヒーター６を備える。  
すなわち、本実施例の記録装置１は、このような構成により、搬送ドラムの内部３７を有効的に使用している。  
さらに、記録ヘッド４が搬送ドラム２の外部（外周面３に対向可能な位置）に設けられる一方、搬送ドラム２の内部３７に前記インクを乾燥するヒーター６を備えるので、搬送ドラム２の外部に設けられる記録ヘッド４の空間とは、搬送ドラム２の外周部２３（詳細は後述）によって仕切られ、記録ヘッド４に対するヒーター６の熱の影響を抑制して前記インクを乾燥することが可能な構成になっている。
【００２３】
ここで、記録ヘッド４ａから４ｆは、本実施例が搭載するブラック、シアン、マゼンタ、イエロー、ライトシアン、ライトマゼンタの各色のインクに対応する記録ヘッドである。また、記録ヘッド４ａから４ｆは、夫々、インクを吐出するノズルが図２の方向Ｚに複数並べられている。なお、記録ヘッド４ａから４ｆは、夫々、複数のヘッドが方向Ｚに並べられ所謂ラインヘッドを構成しているが、本発明はこのような記録ヘッドに限定されない。  
ここで、「ラインヘッド」とは、被記録媒体Ｐの搬送方向と交差する交差方向に形成されたノズルの領域が、被記録媒体Ｐの前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体Ｐの前記交差方向全体をカバー可能でなくてもよい。また、記録ヘッドと被記録媒体の双方を移動可能な構成とし、記録ヘッドと被記録媒体の一方、又は、双方を移動させて画像を形成してもよい。
【００２４】
なお、本実施例の記録装置１は、ロール状に巻き取り可能な長尺の被記録媒体Ｐを使用することを前提とした構成になっている。ただし、このような構成に限定されず、被記録媒体Ｐを外周面３で支持して搬送する搬送ドラム２と、外周面３に対向する位置に、被記録媒体Ｐにインクを吐出する記録ヘッド４と、搬送ドラム２の内部３７に、前記インクを乾燥する乾燥部と、を備える構成であれば、単票式の被記録媒体Ｐを使用可能な構成であっても構わない。
【００２５】
本実施例の記録装置１は、ロール状に巻き取られた被記録媒体Ｐを繰り出しロール７から、搬送方向Ｘに被記録媒体Ｐを搬送することにより、巻き取りロール８まで搬送する。  
詳細には、繰り出しロール７から繰り出された被記録媒体Ｐは、ローラー９、テンショナー１０、出口ローラー対１１、外周面３、入口ローラー対１２、媒体位置センサー１３、ローラー１４、テンショナー１５、ローラー１６からローラー２１を通り、巻き取りロール８で巻き取られる。  
なお、被記録媒体Ｐの搬送経路においてローラー１６とローラー１７との間には、記録ヘッド４により記録された被記録媒体Ｐの記録面が対向するように、ヒーター６が備えられている。ヒーター６は、搬送ドラム２の内部に配置され、かつ、被記録媒体Ｐの記録面に記録ヘッド４からインクが吐出された後、被記録媒体Ｐの搬送経路上で記録面に吐出されたインクに接触する部材が現れる前にインクを乾燥させる位置に配置されていればよい。そのため、ヒーター６は、ローラー１６よりも搬送経路の上流側に配置されていてもよい。また、ヒーター６としては、赤外線ヒーターを用いるのが好ましい。赤外線ヒーターの波長をインクに含まれる蒸発させたい成分に吸収され易く調整することで、効率的に乾燥を行うことが可能である。  
また、乾燥部としてヒーター６を説明したが、この構成に限定されない。乾燥部として乾燥した気体を被記録媒体Ｐに吐出したインクに吹き付ける構成としてもよい。この構成によれば、蒸発したインクに含まれる成分を吹き飛ばすことも可能であり、より乾燥が促進される。
【００２６】
ここで、繰り出しロール７は、被記録媒体Ｐをセットするセット部としての役割を有している。  
また、巻き取りロール８は、モーター３４の駆動力により被記録媒体Ｐを巻き取る巻取部としての役割を有している。  
また、出口ローラー対１１は、繰り出しロール７にセットされた被記録媒体Ｐを外周面３に排出する排出部としての役割を有している。  
そして、入口ローラー対１２は、出口ローラー対１１から排出され外周面３を搬送方向Ｘに搬送された被記録媒体Ｐを挿入する挿入部としての役割を有している。
【００２７】
別の表現をすると、被記録媒体Ｐはロール状に巻き取り可能な長尺の被記録媒体であって、本実施例の搬送ドラム２は、内部３７に、被記録媒体Ｐをセットするセット部としての繰り出しロール７と、被記録媒体Ｐを巻き取る巻取部としての巻き取りロール８と、を備えている。そして、本実施例の搬送ドラム２は、外周面３に、繰り出しロール７にセットされた被記録媒体Ｐを外周面３に排出する排出部としての出口ローラー対１１と、出口ローラー対１１から排出され外周面３を搬送された被記録媒体Ｐを挿入する挿入部としての入口ローラー対１２と、を備えている。なお、繰り出しロール７及び巻き取りロール８は、被記録媒体Ｐの巻き方向が図示されている向きと異なっていてもよい。また、入口ローラー対１２の記録面側に接触するローラーは、記録ヘッド４によって吐出されたインクと接触しない位置で記録媒体Ｐを押さえている。  
記録画像の画質を向上させるため、所謂マルチパス記録と呼ばれる、記録画像を複数回に分けて記録することが一般的に行われている。また、長尺の被記録媒体Ｐを外周面３で支持して搬送する搬送ドラム２を備える記録装置１において、記録画像を複数回に分けて記録するためには、搬送ドラム２を複数回回転させて複数回に分けて記録することが効率的である。しかしながら、従来の、ロール状の被記録媒体Ｐを外周面３で支持して搬送する搬送ドラム２を備える記録装置１は、搬送ドラム２を複数回回転させて複数回に分けて記録することが可能な構成ではなかった。  
しかしながら、本実施例の記録装置１の搬送ドラム２は、出口ローラー対１１から排出され外周面３を搬送された被記録媒体Ｐをそのまま支持した状態（被記録媒体Ｐが外周面３を引き回され、外周面に対する位置が変わらない状態）で、回転方向Ｙに複数回回転することができる構成になっている。すなわち、本実施例の記録装置１は、搬送ドラム２を複数回回転させて、外周面３に支持された被記録媒体Ｐの記録面の所定箇所が所定の記録ヘッドと複数回対抗するようにし、外周面３に支持された被記録媒体Ｐの記録面の所定箇所に対して複数回に分けてインクを吐出し記録することができる。
【００２８】
なお、搬送ドラム２が複数回回転する間、複数回の記録を行う場合、搬送ドラム２の回転数と所定箇所に対するインクの吐出回数は一致していなくてもよい。例えば、搬送ドラム２が複数回回転する間に、所定箇所に対して１回吐出をしてもよい。このような構成により、所定箇所に対して複数回吐出する時の時間間隔を長めに取ることができ、先に吐出されたインクの被記録媒体Ｐへの定着や乾燥する時間を取ることができるため、所定箇所に対して複数回のインク吐出をしてもインク同士が混ざり記録画像の劣化が低減できる。また、搬送ドラム２が１回回転する間に、所定箇所に対して複数の記録ヘッドから複数回インク吐出をしてもよい。このような構成により、被記録媒体Ｐへの記録時間を短縮することも可能である。
【００２９】
また、本実施例の記録装置１は、外周面３における出口ローラー対１１と入口ローラー対１２との間の記録ヘッド４と対向可能である位置に記録ヘッド４のメンテナンス部のうちの一つとしてのフラッシングボックス２２を備えている。  
なお、「記録ヘッド４のメンテナンス部」とは、記録ヘッド４の性能を維持する目的のものであれば特に限定はされず、本実施例ではフラッシングボックス２２であるが、そのほかの構成例として、ワイピング部材及び吸引部材等が挙げられる。  
このような構成により、本実施例の記録装置１は、記録中などの被記録媒体Ｐが外周面３を引き回された状態（支持された状態）であっても、記録ヘッド４のメンテナンス（フラッシング）を行うことが可能になっている。なお、本実施例の記録装置１のように、外周面３における出口ローラー対１１と入口ローラー対１２との間以外の場所に、さらに別のメンテナンス部（本実施例ではメンテナンスユニット３６）を備えていてもよい。例えば、記録ヘッド４を回転や移動可能とし、記録ヘッド４が動いてメンテナンス部に対向可能な構成としてもよい。この場合であっても、出口ローラー対１１と入口ローラー対１２との間の記録ヘッド４と対向可能な位置に、少なくともフラッシングボックス２２を設け、搬送ドラム２を回転させ被記録媒体Ｐに記録する際に、フラッシングボックス２２に記録ヘッド４からインク吐出を行い、吐出状態を整えられることが好ましい。
【００３０】
また、図２で表されるように、本実施例の搬送ドラム２は、外周面３を形成する外周部２３と、外周部２３とは別体として設けられ、搬送ドラム２の内部３７に配置される部材を保持して外周部２３と共に回転する基体部２４と、を備えている。  
搬送ドラム２の外周部２３（外周面３）は被記録媒体Ｐを支持する支持面であるため、搬送ドラム２の回転に伴う振動の影響等をなるべく受けないことが好ましい。本実施例の搬送ドラム２では、基体部２４は、搬送ドラム２とは別体として設けられ、外周部２３と共に回転する。このため、搬送ドラム２の内部に配置される部材を基体部２４に保持させることで、搬送ドラム２自体を軽量化することが可能である。また、内部に配置される部材からの振動等が、直接、搬送ドラム２に伝わることが軽減でき、内部の部材の配置が回転軸に対して対称ではないことによる回転に伴う振れや振動の影響等を外周面３に支持される被記録媒体Ｐに与えるのを抑制しつつ、排出部（出口ローラー対１１）から排出され外周面３を引き回された被記録媒体Ｐをそのまま支持した状態で、複数回回転することができる。すなわち、搬送ドラム２の回転に伴う振動の影響等を抑制しつつ、搬送ドラム２を複数回回転させて、外周面３に支持される被記録媒体Ｐに対して複数回に分けて記録を行うことができる。
【００３１】
また、本実施例の記録装置１において、搬送ドラム２の回転軸２５は鉛直方向である。  
ここで、「鉛直方向」とは、厳密な意味での鉛直方向に限定されず、鉛直方向から多少ずれた方向も含む意味である。  
本実施例の記録装置１のように、搬送ドラム２の回転軸２５が鉛直方向の構成の記録装置においても、搬送ドラム２の内部３７を有効的に使用することができるとともに、記録ヘッド４に対する乾燥部（ヒーター６）の影響を抑制しつつ前記インクを乾燥することが可能になる。また、搬送ドラム２の回転軸２５を鉛直方向に構成すると底面は上下方向の位置となるため、少なくとも上部の底面を開放状態とすることで、搬送ドラム２の内部に配置される乾燥部（ヒーター６）や、他の部材等から発生する熱が搬送ドラム２の内部に滞り難い。  
ただし、このような構成に限定されず、例えば、搬送ドラム２の回転軸２５が水平方向であってもよい。
【００３２】
なお、図２で表されるように、本実施例の記録装置１は、回転軸２５は外周部２３と一体的に構成され、外周部軸受２６、２７で支持される。また、基体部２４は、基体部軸受２８、２９に支持されて回転軸２５に対して回転可能に設けられる。
【００３３】
また、外周部２３は、ベルト３０を介してモーター３１の駆動力が伝えられることにより回転方向Ｙに回転する。また、基体部２４は、ベルト３２を介してモーター３３の駆動力が伝えられることにより回転方向Ｙに回転する。
【００３４】
また、図２で表されるように、本実施例の記録装置１では、ヘッドユニット５は、記録を行う位置からメンテナンスユニット３６に対向するホームポジションに、レール３５に沿って方向Ｚに移動することができる。  
ここで、メンテナンスユニット３６は、記録ヘッド４の性能を維持するため、記録ヘッド４のキャッピング及びクリーニング等を行う。
【００３５】
また、本実施例の記録装置１は、被記録媒体Ｐと外周面３との摩擦係数は、被記録媒体Ｐと排出部（出口ローラー対１１）との摩擦係数及び被記録媒体Ｐと挿入部（入口ローラー対１２）との摩擦係数よりも小さい。  
ここで、「被記録媒体Ｐと外周面３との摩擦係数は、被記録媒体Ｐと排出部との摩擦係数及び被記録媒体Ｐと挿入部との摩擦係数よりも小さい」とは、外周面３が排出部及び挿入部よりも被記録媒体Ｐとの摩擦係数が小さくなる材料を用いて構成される場合に限定されない。例えば、本実施例の記録装置１のように、排出部及び挿入部に被記録媒体Ｐをニップする機構等を設けることにより、外周面３が排出部及び挿入部よりも被記録媒体Ｐとの摩擦係数が小さくなる構成も含む。  
本実施例の記録装置１は、このような構成により、被記録媒体Ｐと外周面３との摩擦係数が小さいことにより、被記録媒体Ｐを外周面に引き回す際の被記録媒体Ｐの搬送が容易になる。そして、被記録媒体Ｐと出口ローラー対１１との摩擦係数及び被記録媒体Ｐと入口ローラー対１２との摩擦係数が大きいことにより、外周面３に引き回された被記録媒体Ｐがズレないように支持することができる。
【００３６】
次に、本実施例の搬送ドラム２についてさらに詳細に説明する。  
図３は、本実施例の搬送ドラム２の概略斜視図である。  
図３で表されるように、本実施例の搬送ドラム２には、上部にカバー３８を取り付け可能であり、搬送ドラム２の内部３７の目隠しをすることができる。
【００３７】
［実施例２］（図４）
次に、実施例２の記録装置について、添付図面を参照して詳細に説明する。  
図４は、実施例２の搬送ドラム２の概略平面図である。なお、上記実施例と共通する構成部材は同じ符号で示しており、詳細な説明は省略する。  
なお、本実施例の記録装置１は、搬送ドラム２の上部に、搬送ドラム２の内部３７の目隠しをするカバー３８の代わりに、穴部３９が設けられたカバー４０が取り付けられている以外は実施例１の記録装置１と同様の構成である。
【００３８】
また、図４で表されるように、本実施例の搬送ドラム２の上部のカバー４０には、一部が外部に開放されるように穴部３９が設けられている。このため、ヒーター６により発生したインクの蒸気を効率的に外部に逃がすことができ、前記インクの乾燥効率を向上できる。  
したがって、本実施例の記録装置１のように、搬送ドラム２の少なくとも一方の底面の少なくとも一部が外部に開放されている構成が好ましい。
【符号の説明】
【００３９】
１  記録装置、２  搬送ドラム、３  搬送ドラム２の外周面、
４、４ａ、４ｂ、４ｃ、４ｄ、４ｅ、４ｆ  記録ヘッド、５  ヘッドユニット、
６  ヒーター（乾燥部）、７  繰り出しロール（セット部）、
８  巻き取りロール（巻取部）、９  ローラー、１０  テンショナー、
１１  出口ローラー対（排出部）、１２  入口ローラー対（挿入部）、
１３  媒体位置センサー、１４  ローラー、１５  テンショナー、１６  ローラー、
１７  ローラー、１８  ローラー、１９  ローラー、２０  ローラー、
２１  ローラー、２２  フラッシングボックス、２３  外周部、２４  基体部、
２５  回転軸、２６  外周部軸受、２７  外周部軸受、２８  基体部軸受、
２９  基体部軸受、３０  ベルト、３１  モーター、３２  ベルト、３３  モーター、
３４  モーター、３５  レール、３６  メンテナンスユニット、
３７  搬送ドラム２の内部、３８  カバー、３９  穴部、４０  カバー、
Ｐ  被記録媒体
【図１】
2015098144.tif 000003
【図２】
2015098144.tif 000004
【図３】
2015098144.tif 000005
【図４】
2015098144.tif 000006